(57)【要約】  電気品箱を備えた空気調和機の室外機であって、電気品箱は、基板を保持する基板保持枠であって、サイズの異なる基板に共通に用いられる基板保持枠と、基板保持枠にスライド自在に設けられ、基板に接続される配線を支持する配線支持部品とを備えたものである。
2019150422.tif 000002
【特許請求の範囲】
【請求項１】
電気品箱を備えた空気調和機の室外機であって、
前記電気品箱は、
基板を保持する基板保持枠であって、サイズの異なる基板に共通に用いられる基板保持枠と、
前記基板保持枠にスライド自在に設けられ、前記基板に接続される配線を支持する配線支持部品とを備えた空気調和機の室外機。
【請求項２】
前記基板保持枠は、前記配線支持部品をスライド自在に支持するスライドガイドを備え、
前記スライドガイドは、
スライド方向に複数設けられ、前記配線支持部品のスライド方向の位置を保持する位置保持部と、
複数の前記位置保持部間に前記配線支持部品を案内する複数のガイド部とを備えた請求項１記載の空気調和機の室外機。
【請求項３】
前記スライドガイドは、前記基板保持枠に形成された貫通孔又は溝であり、
前記配線支持部品は、前記スライドガイドにスライド自在に挿入される挿入部を備えた請求項２記載の空気調和機の室外機。
【請求項４】
前記配線支持部品は、
前記配線支持部品が前記スライドガイドに取り付けられた状態で前記基板保持枠の外方に位置して前記配線を支持する配線支持部と、
前記配線支持部から前記スライドガイドを介して前記基板保持枠の内方に向けて突出した一対の突起とを備え、
前記突起は、
前記挿入部である小径部と、
前記小径部の先端に設けられ、前記基板保持枠の内方に位置して前記小径部よりも径の大きな大径部とを有し、
前記大径部が前記位置保持部及び前記ガイド部から抜けない大きさに構成されている請求項３記載の空気調和機の室外機。
【請求項５】
前記位置保持部は、スライド方向と直交する方向に対向する２面を有し、前記２面のそれぞれに１又は複数の凸部が形成され、前記各凸部の頂部で前記挿入部を挟むことで前記配線支持部品を保持する請求項３又は請求項４記載の空気調和機の室外機。
【請求項６】
前記２面のうちの上面に半円形状の１つの前記凸部が形成され、前記２面のうちの下面に、前記上面に形成された前記凸部よりも径の小さい半円形状の２つの凸部が形成されている請求項５記載の空気調和機の室外機。
【請求項７】
前記スライドガイドは、前記配線支持部品の前記一対のスライド突起が挿入される一対の挿入口をスライド方向に複数備え、
前記位置保持部は、前記一対の挿入口に前記一対のスライド突起が挿入された状態の前記配線支持部品の、前記一対の挿入口の前記スライド方向の中心部を中心とした回転、をガイドする貫通孔又は溝であって、前記配線支持部品が前記位置保持部にガイドされて前記位置保持部の回転方向の先端部で前記小径部を保持することで前記配線支持部品の位置を保持する請求項４記載の空気調和機の室外機。
【発明の詳細な説明】
【技術分野】
【０００１】
本発明は、空気調和機の室外機に関し、更に詳しくは、基板に接続される配線を支持する支持構造に関する。
【背景技術】
【０００２】
従来の空気調和機の室外機には、圧縮機等の各種装置を制御するための基板を保持する基板保持枠が備えられている。基板は配線を介して各種装置と接続されており、基板保持枠には配線を支持する配線支持部材が取り付けられている（例えば、特許文献１参照）。特許文献１において配線支持部材は基板保持枠とは別体となっており、基板保持枠に設けられた孔部に、配線支持部材に設けられた爪部を挿入することで、配線支持部材が基板保持枠へ取り付けられる。【０００３】
また、従来より、サイズの異なる基板でも各々搭載可能で共用することができる基板保持枠を備えた空気調和機の室外機がある（例えば、特許文献２参照）。
【先行技術文献】
【特許文献】
【０００４】
【特許文献１】特開２００８−９５７９７８号公報
【特許文献２】特開２００８−８９１９１号公報
【発明の概要】
【発明が解決しようとする課題】
【０００５】
特許文献１では、配線支持部材の基板保持枠への取り付け箇所は決まっており、取り付け位置の変更ができない構造となっている。基板のサイズは機種によって様々であり、基板からの配線の引き出し位置も様々である。このため、特許文献２のように、サイズの異なる基板を保持できる基板保持枠に配線支持部材を設ける場合、配線支持部材の基板保持枠への取り付け箇所が決まっていると、基板上の配線の引き出し位置から配線支持部材までの長さが異なる。このため、サイズの異なる基板を基板保持枠で保持できても、配線の長さを基板サイズによって変える必要が生じ、設計汎用性の観点で改善が必要であった。【０００６】
本発明はこのような点を鑑みなされたもので、基板サイズ及び配線の引き出し位置の異なる基板に共通して用いることが可能な基板保持枠を備えた空気調和機の室外機を提供することを目的とする。
【課題を解決するための手段】
【０００７】
本発明に係る空気調和機の室外機は、電気品箱を備えた空気調和機の室外機であって、電気品箱は、基板を保持する基板保持枠であって、サイズの異なる基板に共通に用いられる基板保持枠と、基板保持枠にスライド自在に設けられ、基板に接続される配線を支持する配線支持部品とを備えたものである。
【発明の効果】
【０００８】
本発明によれば、異なるサイズの基板に共通に用いられる基板保持枠に対して配線支持部品がスライド自在に設けられているため、基板サイズ及び配線の引き出し位置の異なる基板に基板保持枠を共通して用いることが可能である。
【図面の簡単な説明】
【０００９】
【図１】本発明の実施の形態１の空気調和機の室外機を示す分解斜視図である。
【図２】本発明の実施の形態１に係る空気調和機の室外機の電気品箱の分解斜視図である。
【図３】本発明の実施の形態１に係る空気調和機の室外機における配線の取り回しの詳細図である。
【図４】図２の基板保持枠に配線支持部品を組み付けた状態を示す図である。
【図５】図２の基板保持枠の正面図である。
【図６】図２の配線支持部品の斜視図である。
【図７】図２の基板保持枠の前面に形成されたスライドガイドの概略拡大図である。
【図８】図２の基板保持枠に形成されたスライドガイドへの配線支持部品の挿入時の詳細図である。
【図９】図２の基板保持枠に対して配線支持部品をスライドさせた際の詳細図である。
【図１０】図２の基板保持枠に対して配線支持部品をスライドさせた際の、スライドガイドとスライド突起との位置関係の説明図である。
【図１１】本発明の実施の形態１に係る空気調和機の室外機のスライドガイドにおける位置保持部の変形例を示す図である。
【図１２】本発明の実施の形態２に係る空気調和機の室外機の基板保持枠の正面図である。
【図１３】図１２の基板保持枠に形成されたスライドガイドの概略拡大図である。
【図１４】図１２の基板保持枠に取り付けられる配線支持部品を後方から見た斜視図である。
【図１５】図１２の基板保持枠に形成されたスライドガイドへの配線支持部品の挿入時の詳細図である。
【図１６】図１２の基板保持枠への電気支持部品の取付方法の説明図である。
【図１７】図１２の基板保持枠への電気支持部品の取付時のスライドガイドとスライド突起との位置関係を、スライドガイドの後面側から見た説明図である。
【図１８】図１２の基板保持枠への電気支持部品の取付時のスライドガイドとスライド突起との位置関係を示す図である。
【発明を実施するための形態】
【００１０】
以下、本発明における基板保持枠の配線支持構造の例について、図面を用いて詳細に説明する。
【００１１】
実施の形態１．
実施の形態１について説明をする。図１は、本発明の実施の形態１の空気調和機の室外機を示す分解斜視図である。なお、以下の説明で用いる、前、後、右、左、は、室外機を図１の外郭パネル１側から見た方向を意味している。
図１において、空気調和機の室外機の外郭は、前面パネルと左側面パネルとが一体となった外郭パネル１と、右側面を形成する側面パネル２と、天面パネル３と、底面パネル４とにより構成されている。室外機の外郭の内部は、仕切り板５によって送風機室６Ａと機械室６Ｂとに仕切られている。
【００１２】
送風機室６Ａには、熱交換器７と、モーターサポート８とが配置されている。モーターサポート８は、プロペラファン９を取り付けたモーターを、熱交換器７の前方に保持するものである。機械室６Ｂには、圧縮機１０と、冷媒配管１１と、電気品箱１２等とが配置されている。
【００１３】
図２は、本発明の実施の形態１に係る空気調和機の室外機の電気品箱の分解斜視図である。図３は、本発明の実施の形態１に係る空気調和機の室外機における配線の取り回しの詳細図である。
電気品箱１２は、基板保持枠１３と、基板１４に接続される配線を支持する配線支持部品１５と、ヒートシンクを支持するヒートシンクサポート１６と、基板保持枠１３の上面を覆うカバー１７とを備えている。基板保持枠１３は、略矩形状の枠体であり、基板１４を、部品実装面を下向きにして下方向から取り付けられる構造を有する。基板１４は機種によってサイズが異なり、また、配線２０の引き出し位置である端子台２１の位置も、機種によって異なる。
【００１４】
基板保持枠１３は、サイズの異なる基板に共通に用いられるものであって、基板保持枠１３においてサイズの異なる基板を保持可能とする構造については、本発明では特に限定するものではなく、公知の構造を採用できる。一例として簡単に説明すると、基板保持枠１３は、その内壁面が、複数の種類の基板の内、最大サイズの基板が挿入可能に形成されている。また、短辺１３ａの内壁面から他方の短辺１３ｂの内壁面に向かって延びている横桟ガイド１３０ａが、ここでは１本形成されている。また、長辺１３ｃの内壁面から他方の長辺１３ｄの内壁面に向かって延びている縦桟ガイド１３０ｂが、ここでは２本形成されている。基板１４は、基板保持枠１３の外枠、横桟ガイド１３０ａ及び縦桟ガイド１３０ｂで形成される矩形領域に取り付けられる。よって、横桟ガイド１３０ａと各縦桟ガイド１３０ｂとの組み合わせパターンの種類だけ、異なるサイズの基板１４を基板保持枠１３で支持可能となっている。
【００１５】
図４は、図２の基板保持枠に配線支持部品を組み付けた状態を示す図である。図４において矢印ａが左右方向、矢印ｂが前後方向である。図５は、図２の基板保持枠の正面図である。基板保持枠１３の前面には、左右方向に延びるスライドガイド１３Ａが形成されている。スライドガイド１３Ａには、基板保持枠１３とは別ピースである配線支持部品１５がスライド自在に設けられている。
【００１６】
図６は、図２の配線支持部品の斜視図である。
配線支持部品１５は、基板１４に接続される配線２０を支持するもので、配線支持部１５Ａと、一対のスライド突起１５Ｂとを有する。配線支持部１５Ａは、スライドガイド１３Ａに取り付けられた状態で基板保持枠１３の外方に位置して配線を支持するものであり、当接部１５Ａａと、Ｌ字部１５Ａｂとで構成されている。当接部１５Ａａは、基板保持枠１３の前面の外表面に当接する部分である。Ｌ字部１５Ａｂは、当接部１５Ａａの前面の下部側から前方に突出した後、上方に延びる断面Ｌ字状の部分である。配線２０は、当接部１５ＡａとＬ字部１５Ａｂとの間の空間に通されることで配線支持部品１５に支持される。
【００１７】
一対のスライド突起１５Ｂは、当接部１５Ａａの後面から突出した小径部１５Ｂａと、小径部１５Ｂａの先端に一体に設けられた大径部１５Ｂｂとで構成されている。配線支持部品１５は、図６に示した姿勢でスライドガイド１３Ａにスライド自在に取り付けられるものであり、一対のスライド突起１５Ｂは、当接部１５Ａａの後面に、スライド方向に間隔を空けて設けられている。また、一対のスライド突起１５Ｂは、スライドガイド１３Ａに取り付けられた状態で配線支持部１５Ａからスライドガイド１３Ａを介して基板保持枠１３の内方に向けて突出する部分である。
【００１８】
図７は、図２の基板保持枠の前面に形成されたスライドガイドの概略拡大図である。
スライドガイド１３Ａは、円形形状の一対の挿入口１３Ｂと、複数の位置保持部１３Ｃと、複数のガイド部１３Ｄとを有する。スライドガイド１３Ａは、具体的には貫通孔又は溝で構成されており、この貫通孔又は溝に、配線支持部品１５の小径部１５Ｂａが挿入されて配線支持部品１５がスライドするようになっている。つまり、小径部１５Ｂａがスライドガイド１３Ａに挿入される挿入部となっている。以下では、スライドガイド１３Ａが貫通孔で形成されているものとして説明を行う。
【００１９】
一対の挿入口１３Ｂは、配線支持部品１５をスライドガイド１３Ａに取り付ける際に一対のスライド突起１５Ｂが挿入される貫通孔であり、孔径ｌ２は、配線支持部品１５の大径部１５Ｂｂの径よりも大きく形成されている。
【００２０】
ガイド部１３Ｄは、一対の挿入口１３Ｂ及び複数の位置保持部１３Ｃの間で配線支持部品１５を案内するための孔である。ガイド部１３Ｄの上下方向の幅ｌ２は、小径部１５Ｂａの径よりも大きい。スライド突起１５Ｂの大径部１５Ｂｂの径は、幅ｌ２よりも大きく、スライド突起１５Ｂがスライドガイド１３Ａをスライドする際にガイド部１３Ｄから前後方向に抜けるのが防止されるようになっている。
【００２１】
位置保持部１３Ｃは、配線支持部品１５の小径部１５Ｂａを支持して配線支持部品１５の基板保持枠１３に対する位置を保持する部分であり、一対の挿入口１３Ｂに並んでスライド方向に間隔を空けて複数、設けられている。
【００２２】
位置保持部１３Ｃは、小径部１５Ｂａが通される貫通孔であり、この貫通孔の内周面は、スライド方向と直交する方向に対向する２面である上面３０と下面３１とを有する。上面３０と下面３１とのそれぞれには、１又は複数の凸部３２が形成されている。凸部３２の数、大きさ及び位置は特に限定するものではないが、ここでは上面３０に大半円形状の１つの凸部３２ａが形成され、下面３１に小半円形状の２つの凸部３２ｂが形成されている。このように複数の凸部３２で小径部１５Ｂａ挟み込み、スライド方向の移動を行い難くして、配線支持部品１５の位置を保持するようになっている。なお、凸部３２ａと凸部３２ｂとのそれぞれの頂部同士の幅ｌ３は、小径部１５Ｂａの径と同じか僅かに大きい寸法となっている。
【００２３】
次に、スライドガイド１３Ａへの配線支持部品１５の取り付け及び配線支持部品１５のスライド動作について説明する。
【００２４】
図８は、図２の基板保持枠に形成されたスライドガイドへの配線支持部品の挿入時の詳細図である。図９は、図２の基板保持枠に対して配線支持部品をスライドさせた際の詳細図である。図１０は、図２の基板保持枠に対して配線支持部品をスライドさせた際の、スライドガイドとスライド突起との位置関係の説明図である。
【００２５】
配線支持部品１５を基板保持枠１３に取り付ける際には、まず、一対のスライド突起１５Ｂを、一対の挿入口１３Ｂから挿入して小径部１５Ｂａをスライドガイド１３Ａ内に位置させる。そして、小径部１５Ｂａを、ガイド部１３Ｄにスライドさせ、所望の位置の位置保持部１３Ｃに位置させる。この際、図１０に示すように、小径部１５Ｂａは、ガイド部１３Ｄよりも上下方向に低い位置で、位置保持部１３Ｃの複数の凸部３２によって挟み込まれることで支持される。これにより、配線支持部品１５のスライド方向の位置が保持される。なお、ここでは位置保持部１３Ｃが、ガイド部１３Ｄの高さ位置よりも低い位置で小径部１５Ｂａを保持するが、ガイド部１３Ｄとスライド方向に横並びの位置で小径部１５Ｂａを保持してもよい。
【００２６】
位置保持部１３Ｃはスライド方向に複数設けられているため、機種によって異なる、基板１４上の端子台２１の位置に応じて配線支持部品１５の位置を変更することが可能である。よって、機種ごとに配線支持部品１５の位置を使い分けることで、配線２０の共通化が可能となる。なお、図９では配線支持部品１５が１つである構成を示したが、更に複数用いてもよい。
【００２７】
以上説明したように本実施の形態１によれば、異なるサイズの基板１４に共通に用いられる基板保持枠１３に対して配線支持部品１５をスライド自在に設けた。このため、基板保持枠１３で基板サイズが異なる基板１４を保持できることに加え、機種によって基板１４上の配線２０の引き出し位置、具体的には端子台２１の位置が異なっていても、配線支持部品１５の位置を機種に応じた位置に変更できる。つまり、端子台２１から配線支持部品１５の位置までの長さを調整できるため、配線２０の長さを機種によって異ならせることなく、配線２０の長さの共通化が可能である。
【００２８】
また、配線支持部品１５の位置及び数を調整することができるため、機種ごとに設計仕様を最適化することができる。
【００２９】
なお、スライドガイド１３Ａにおける位置保持部１３Ｃの形状は、図７に示した形状に限定されるものではなく、次の図１１に示す形状としてもよい。
【００３０】
図１１は、本発明の実施の形態１に係る空気調和機の室外機のスライドガイドにおける位置保持部の変形例を示す図である。
上記図７の位置保持部１３Ｃは、下面３１に２つの凸部３２ｂが形成されていた。これに対し、図１１の位置保持部１３０Ｃは、下面３１の２つの凸部３２ｂを削除し、上面３０の凸部３２ａに沿う、下方に凸の凸形状とした。位置保持部１３０Ｃをこのような形状とした場合、配線支持部品１５の小径部１５Ｂａをガイド部１３Ｄに沿ってスライドした際、位置保持部１３Ｃで小径部１５Ｂａがガイド部１３Ｄよりも低い位置に移動する。これにより、小径部１５Ｂａのスライド方向の移動がし難くなり、スライド方向の配線支持部品１５の位置を保持することができる。
【００３１】
実施の形態２．
実施の形態２は、スライドガイド１３Ａ及び配線支持部品１５が実施の形態１と異なる。以下、実施の形態２が実施の形態１と異なる部分を中心に説明する。
【００３２】
図１２は、本発明の実施の形態２に係る空気調和機の室外機の基板保持枠の正面図である。図１３は、図１２の基板保持枠に形成されたスライドガイドの概略拡大図である。
実施の形態２の基板保持枠１８のスライドガイド１８Ａは、スライド方向に間隔を空けて複数、設けられた一対の挿入口１８Ｂと、位置保持部１８Ｃと、複数のガイド部１８Ｄとを備えている。位置保持部１８Ｃは、一対の挿入口１８Ｂのそれぞれから上下逆方向に延びて先端部が一対の挿入口１８Ｂの中心部を中心として対向するように形成された一対の係止孔で構成されている。ガイド部１８Ｄは、スライド方向に延びた貫通孔で構成され、配線支持部品１５の小径部１５Ｂａを、複数組の一対の挿入口１８Ｂ間にガイドするものである。
【００３３】
図１４は、図１２の基板保持枠に取り付けられる配線支持部品を後方から見た斜視図である。
実施の形態２の配線支持部品１９は、配線支持部１９Ａと、一対のスライド突起１９Ｂとを有する。配線支持部１９Ａは、スライドガイド１８Ａに取り付けられた状態で基板保持枠１８の前面の外表面に当接する当接部１９Ａａと、当接部１９Ａａの前面の下部側から前方に突出した後、上方に延びる断面Ｌ字状のＬ字部１９Ａｂとで構成されている。配線２０は、当接部１９ＡａとＬ字部１９Ａｂとの間の空間に通されることで配線支持部品１９に支持される。
【００３４】
スライド突起１９Ｂは、当接部１９Ａａの後面から突出した小径部１９Ｂａと、小径部１９Ｂａの先端に一体に設けられた大径部１９Ｂｂとで構成されている。配線支持部品１９は、図１４に示した姿勢で基板保持枠１８の位置保持部１８Ｃで保持されるものであり、一対のスライド突起１９Ｂは、当接部１９Ａａの後面に、スライド方向と直交する方向に間隔を空けて設けられている。
【００３５】
図１５は、図１２の基板保持枠に形成されたスライドガイドへの配線支持部品の挿入時の詳細図である。図１６は、図１２の基板保持枠への電気支持部品の取付方法の説明図である。図１７は、図１２の基板保持枠への電気支持部品の取付時のスライドガイドとスライド突起との位置関係を、スライドガイドの後面側から見た説明図である。図１８は、図１２の基板保持枠への電気支持部品の取付時のスライドガイドとスライド突起との位置関係を示す図である。
【００３６】
配線支持部品１５を基板保持枠１３に取り付ける際には、まず、図１５に示す姿勢で、一対のスライド突起１９Ｂを、図１６（ａ）、図１７（ａ）及び図１８の実線に示すように、所望の位置に配置された一対の挿入口１８Ｂに挿入する。そして、配線支持部品１９を、一対の挿入口１８Ｂのスライド方向の中心部を中心として矢印の方向に回転させ、一対のスライド突起１９Ｂの小径部１９Ｂａを、位置保持部１８Ｃ内でスライドさせる。これにより、配線支持部品１９は、図１６の（ｂ）、図１７（ｂ）及び図１８の点線で示す状態となる。すなわち、配線支持部品１９の小径部１９Ｂａが位置保持部１８Ｃの回転方向の先端部に位置する。位置保持部１８Ｃの先端部の径は、小径部１９Ｂａの径と同じか僅かに大きい寸法に形成されている。よって、小径部１９Ｂａを安定して保持できるようになっており、配線支持部品１９が位置保持部１３Ｃに保持される。
【００３７】
本実施の形態２によれば、実施の形態１と同様の効果を得ることができる。
【符号の説明】
【００３８】
１  外郭パネル、２  側面パネル、３  天面パネル、４  底面パネル、５  仕切り板、６Ａ  送風機室、６Ｂ  機械室、７  熱交換器、８  モーターサポート、９  プロペラファン、１０  圧縮機、１１  冷媒配管、１２  電気品箱、１３  基板保持枠、１３Ａ  スライドガイド、１３Ｂ  挿入口、１３Ｃ  位置保持部、１３Ｄ  ガイド部、１３ａ  短辺、１３ｂ  短辺、１３ｃ  長辺、１３ｄ  長辺、１４  基板、１５  配線支持部品、１５Ａ  配線支持部、１５Ａａ  当接部、１５Ａｂ  Ｌ字部、１５Ｂ  スライド突起、１５Ｂａ  小径部、１５Ｂｂ  大径部、１６  ヒートシンクサポート、１７  カバー、１８  基板保持枠、１８Ａ  スライドガイド、１８Ｂ  挿入口、１８Ｃ  位置保持部、１８Ｄ  ガイド部、１９  配線支持部品、１９Ａ  配線支持部、１９Ａａ  当接部、１９Ａｂ  Ｌ字部、１９Ｂ  スライド突起、１９Ｂａ  小径部、１９Ｂｂ  大径部、２０  配線、２１  端子台、３０  上面、３１  下面、３２  凸部、３２ａ  凸部、３２ｂ  凸部、１３０Ｃ  位置保持部、１３０ａ  横桟ガイド、１３０ｂ  縦桟ガイド。
【図１】
2019150422.tif 000003
【図２】
2019150422.tif 000004
【図３】
2019150422.tif 000005
【図４】
2019150422.tif 000006
【図５】
2019150422.tif 000007
【図６】
2019150422.tif 000008
【図７】
2019150422.tif 000009
【図８】
2019150422.tif 000010
【図９】
2019150422.tif 000011
【図１０】
2019150422.tif 000012
【図１１】
2019150422.tif 000013
【図１２】
2019150422.tif 000014
【図１３】
2019150422.tif 000015
【図１４】
2019150422.tif 000016
【図１５】
2019150422.tif 000017
【図１６】
2019150422.tif 000018
【図１７】
2019150422.tif 000019
【図１８】
2019150422.tif 000020
【手続補正書】
【提出日】令和2年4月30日(2020.4.30)
【手続補正１】
【補正対象書類名】明細書
【補正対象項目名】０００７
【補正方法】変更
【補正の内容】
【０００７】
本発明に係る空気調和機の室外機は、電気品箱を備えた空気調和機の室外機であって、電気品箱は、基板を保持する基板保持枠であって、サイズの異なる基板に共通に用いられる基板保持枠と、基板保持枠のスライドガイドにスライド自在に設けられ、基板に接続される配線を支持する配線支持部品とを備え、基板保持枠は、配線支持部品をスライド自在に支持するスライドガイドを備え、スライドガイドは、スライド方向に複数設けられ、配線支持部品のスライド方向の位置を保持する位置保持部と、複数の位置保持部間に配線支持部品を案内する複数のガイド部とを備えたものである。
【手続補正２】
【補正対象書類名】特許請求の範囲
【補正対象項目名】全文
【補正方法】変更
【補正の内容】
【特許請求の範囲】
【請求項１】
電気品箱を備えた空気調和機の室外機であって、
前記電気品箱は、
基板を保持する基板保持枠であって、サイズの異なる基板に共通に用いられる基板保持枠と、
前記基板保持枠のスライドガイドにスライド自在に設けられ、前記基板に接続される配線を支持する配線支持部品とを備え、
前記基板保持枠は、前記配線支持部品をスライド自在に支持するスライドガイドを備え、
前記スライドガイドは、
スライド方向に複数設けられ、前記配線支持部品のスライド方向の位置を保持する位置保持部と、
複数の前記位置保持部間に前記配線支持部品を案内する複数のガイド部とを備えた空気調和機の室外機。
【請求項２】
前記スライドガイドは、前記基板保持枠に形成された貫通孔又は溝であり、
前記配線支持部品は、前記スライドガイドにスライド自在に挿入される挿入部を備えた請求項１記載の空気調和機の室外機。
【請求項３】
前記配線支持部品は、
前記配線支持部品が前記スライドガイドに取り付けられた状態で前記基板保持枠の外方に位置して前記配線を支持する配線支持部と、
前記配線支持部から前記スライドガイドを介して前記基板保持枠の内方に向けて突出した一対の突起とを備え、
前記突起は、
前記挿入部である小径部と、
前記小径部の先端に設けられ、前記基板保持枠の内方に位置して前記小径部よりも径の大きな大径部とを有し、
前記大径部が前記位置保持部及び前記ガイド部から抜けない大きさに構成されている請求項２記載の空気調和機の室外機。
【請求項４】
前記位置保持部は、スライド方向と直交する方向に対向する２面を有し、前記２面のそれぞれに１又は複数の凸部が形成され、前記各凸部の頂部で前記挿入部を挟むことで前記配線支持部品を保持する請求項２又は請求項３記載の空気調和機の室外機。
【請求項５】
前記２面のうちの上面に半円形状の１つの前記凸部が形成され、前記２面のうちの下面に、前記上面に形成された前記凸部よりも径の小さい半円形状の２つの凸部が形成されている請求項４記載の空気調和機の室外機。
【請求項６】
前記スライドガイドは、前記配線支持部品の前記一対のスライド突起が挿入される一対の挿入口をスライド方向に複数備え、
前記位置保持部は、前記一対の挿入口に前記一対のスライド突起が挿入された状態の前記配線支持部品の、前記一対の挿入口の前記スライド方向の中心部を中心とした回転、をガイドする貫通孔又は溝であって、前記配線支持部品が前記位置保持部にガイドされて前記位置保持部の回転方向の先端部で前記小径部を保持することで前記配線支持部品の位置を保持する請求項３記載の空気調和機の室外機。
【国際調査報告】
2019150422.tif 000021
2019150422.tif 000022